(57)【要約】【課題】端子同士のガタつきを極力小さくして接点摺動の発生を防止することができる、コネクタ端子を提供する。【解決手段】コネクタ端子は、オス型ハウジング１に備えられ、先端部分にテーパ形状を有するテーパ部１２ｂが形成されたオス端子１２と、メス型ハウジング２に備えられ、オス端子１２の先端部分が挿入される箇所にオス端子１２のテーパ部１２ｂが有するテーパ形状に対応したテーパ溝部２２ｂが形成されたメス端子２２とで構成される。【選択図】図３Ａ
2014120237.tif 000002
【特許請求の範囲】
【請求項１】
先端部分にテーパ形状を有するテーパ部が形成されたオス端子と、
前記オス端子の先端部分が挿入される箇所に、前記オス端子のテーパ部が有するテーパ形状に対応したテーパ溝部が形成されたメス端子と、
で構成される、コネクタ端子。
【請求項２】
前記テーパ部は、前記オス端子とは別の部材によって形成され、
前記テーパ溝部は、前記メス端子とは別の部材によって形成されていることを特徴とする、請求項１に記載のコネクタ端子。
【発明の詳細な説明】
【技術分野】
【０００１】
本発明は、オス端子とメス端子とで構成されるコネクタ端子に関し、より特定的にはコネクタ端子の固定構造に関する。
【背景技術】
【０００２】
信号線などを互いに接合する部品の１つに、コネクタがよく知られている。このコネクタには、オス端子を備えたオス型ハウジングとメス端子を備えたメス型ハウジングとが存在し、オス型ハウジングとメス型ハウジングとを結合させることで、オス端子とメス端子とを嵌合させて電気的に接合させる部品である。例えば、特許文献１を参照。
【先行技術文献】
【特許文献】
【０００３】
【特許文献１】特開２００２−０３３１４９号公報
【発明の概要】
【発明が解決しようとする課題】
【０００４】
このようなコネクタ端子では、嵌合した端子同士のガタつきを皆無にすることは不可能であり少なからず発生する。この端子同士のガタつきは、オス端子とメス端子との間で接点摺動を引き起こし、端子磨耗を早めることに繋がり、また、コネクタ端子を大電流が流れる高電圧に利用する場合には、摺動する接点において高電圧スパークが発生するおそれも考えられる。よって、オス端子とメス端子とのガタつきを極力小さくすることが、今後の課題である。
【０００５】
それ故に、本発明の目的は、端子同士のガタつきを極力小さくして接点摺動の発生を防止することができる、コネクタ端子を提供することである。
【課題を解決するための手段】
【０００６】
本発明は、オス端子とメス端子とで構成されるコネクタ端子に向けられている。そして、上記目的を達成するために、本発明のコネクタ端子は、先端部分にテーパ形状を有するテーパ部が形成されたオス端子と、オス端子の先端部分が挿入される箇所に、オス端子のテーパ部が有するテーパ形状に対応したテーパ溝部が形成されたメス端子とで構成されている。
かかる構成により、オス端子とメス端子とを嵌合させると、テーパ部とテーパ溝部とが密着して端子同士のガタつきもほとんどなくなり、オス端子をメス端子でしっかりと把持させることができる。
【０００７】
このテーパ部は、オス端子とは別の部材によって形成されていてもよいし、テーパ溝部は、メス端子とは別の部材によって形成されていてもよい。
かかる構成により、既存のオス端子やメス端子にもテーパ部およびテーパ溝部を簡単に設けることができる。
【発明の効果】
【０００８】
上記本発明によれば、端子同士のガタつきを極力小さくして接点摺動の発生を防止することができる、コネクタ端子を実現することができる
【図面の簡単な説明】
【０００９】
【図１】本発明の一実施形態にかかるコネクタ端子を構成するオス端子１２を備えたオス型ハウジング１の概略構造を説明する図
【図２】本発明の一実施形態にかかるコネクタ端子を構成するメス端子２２を備えたメス型ハウジング２の概略構造を説明する図
【図３Ａ】本発明の一実施形態にかかるコネクタ端子における、オス型ハウジング１とメス型ハウジング２との接続状態を説明する図
【図３Ｂ】本発明の一実施形態にかかるコネクタ端子における、オス端子１２とメス端子２２との固定構造を説明する図
【図４】本発明の一実施形態にかかるコネクタ端子を構成するオス端子１２を備えた他のオス型ハウジング４の概略構造を説明する図
【図５】本発明の一実施形態にかかるコネクタ端子を構成するメス端子２２を備えた他のメス型ハウジング５の概略構造を説明する図
【図６Ａ】オス型ハウジング４とメス型ハウジング５とを嵌合させたときの断面図
【図６Ｂ】ハウジング抜け防止ピン６０を用いてオス型ハウジング４とメス型ハウジング５とを固定する場合の斜視図
【図７Ａ】従来のコネクタ端子における、オス型ハウジング７とメス型ハウジング８との接続状態を説明する図
【図７Ｂ】従来のコネクタ端子における、オス端子７２とメス端子８２との固定構造を説明する図
【発明を実施するための形態】
【００１０】
以下、本発明の一実施形態について、図面を参照しながら説明を行う。但し、必要以上に詳細な説明、例えば既によく知られた事項の説明や実質的に同一の構成に対する重複した説明など、を省略する場合がある。この省略は、説明が不必要に冗長になるのを避け、当業者の理解を容易にするためである。
なお、発明者は、当業者が本発明を十分に理解するために図面および以下の説明を提供するのであり、これらの図面や説明によって特許請求の範囲に記載の主題を限定することを意図するものではない。
【００１１】
図１は、本発明の一実施形態にかかるコネクタ端子を構成するオス端子１２を備えたオス型ハウジング１の概略構造を説明する図である。図１（ａ）は、オス型ハウジング１の正面図、図１（ｂ）は、オス型ハウジング１の右側面図、図１（ｃ）は、オス型ハウジング１のＡ−Ａ断面図である。
図２は、本発明の一実施形態にかかるコネクタ端子を構成するメス端子２２を備えたメス型ハウジング２の概略構造を説明する図である。図２（ａ）は、メス型ハウジング２の正面図、図２（ｂ）は、メス型ハウジング２の左側面図、図２（ｃ）は、メス型ハウジング２のＢ−Ｂ断面図である。
【００１２】
１．ハウジングの構造
まず、本発明の一実施形態にかかるコネクタ端子を構成するオス型ハウジング１およびメス型ハウジング２の概略構造について説明する。
【００１３】
図１において、本実施形態のオス型ハウジング１は、ハウジングケース１１と、オス端子１２とを備えている。
オス端子１２は、ボディ部１２ａと、テーパ部１２ｂとで構成される。ボディ部１２ａは、例えば金属などの導電性部材からなり、図示しない信号線などと電気的に接続されている。テーパ部１２ｂは、ボディ部１２ａの先端部分（信号線などが接続されていない端部側）に設けられ、所定の傾斜角で先端側が細くなるテーパ形状を有している。所定の傾斜角は、後述するメス型ハウジング２との嵌合構造によって定まる。このテーパ部１２ｂは、ボディ部１２ａと同じ導電性部材で形成されてもよいし、ボディ部１２ａとは別の部材、例えば樹脂などで形成されてもよい。同じ導電性部材の場合には、ボディ部１２ａおよびテーパ部１２ｂを一体成形することができる。
【００１４】
ハウジングケース１１は、例えば樹脂などの絶縁性部材からなり、後述するメス型ハウジング２と嵌合可能な形状を有している。このハウジングケース１１は、メス型ハウジング２と嵌合することで、メス型ハウジング２が備えるメス端子２２にオス端子１２が挿入されて両端子間を電気的に導通させる位置に、オス端子１２を保持している。
【００１５】
図２において、本実施形態のメス型ハウジング２は、ハウジングケース２１と、メス端子２２と、信号線２３とを備えている。
メス端子２２は、ボディ部２２ａと、テーパ溝部２２ｂと、端子保持部２２ｃと、接続部２２ｄとで構成される。接続部２２ｄは、例えば金属などの導電性部材からなり、圧着や半田付けなどにより信号線２３と電気的に接続されている。ボディ部２２ａは、例えば金属などの導電性部材からなり、上述したオス型ハウジング１が備えるオス端子１２が挿入される箇所である。このボディ部２２ａは、接続部２２ｄを介して信号線２３と電気的に接続されている。テーパ溝部２２ｂは、ボディ部２２ａの奥端部（オス端子１２が挿入される端部と反対側の端部）に設けられ、所定の傾斜角で先端側が細くなるテーパ溝形状を有している。所定の傾斜角は、上述したオス型ハウジング１のテーパ部１２ｂの傾斜角と同じに設定される。端子保持部２２ｃは、板バネやゴムなどの弾性部材からなり、ボディ部２２ａの内壁側に設けられる（図２の例では内壁側の４面に設けられている）。このテーパ溝部２２ｂは、ボディ部２２ａと同じ導電性部材で形成されてもよいし、ボディ部２２ａとは別の部材、例えば樹脂などで形成されてもよい。同じ導電性部材の場合には、ボディ部２２ａおよびテーパ溝部２２ｂを一体成形することができる。
【００１６】
ハウジングケース２１は、例えば樹脂などの絶縁性部材からなり、上述したオス型ハウジング１と嵌合可能な形状を有している。また、ハウジングケース２１は、内部にメス端子２２が嵌挿してあり、ハウジングケース１１と嵌合することで、メス型ハウジング２が備えるメス端子２２にオス型ハウジング１が備えるオス端子１２が挿入されて、両端子間を電気的に導通させる。
【００１７】
２．コネクタ端子の固定構造
次に、本発明の一実施形態にかかるコネクタ端子を、さらに詳細に説明する。
図３Ａは、本発明の一実施形態にかかるコネクタ端子における、オス型ハウジング１とメス型ハウジング２との接続状態を説明する図である。図３Ｂは、本発明の一実施形態にかかるコネクタ端子における、オス端子１２とメス端子２２との固定構造を説明する図である。
図７Ａは、従来のコネクタ端子における、オス型ハウジング７とメス型ハウジング８との接続状態を説明する図である。図７Ｂは、従来のコネクタ端子における、オス端子７２とメス端子８２との固定構造を説明する図である。
【００１８】
まず、図７Ａを参照して従来のコネクタ端子を説明する。
オス型ハウジング７とメス型ハウジング８とを嵌合させると（図７Ａ（ａ））、オス型ハウジング７１が備えるオス端子７２が、メス型ハウジング８が備えるメス端子８２に挿入される。このオス端子７２は、図７Ａ（ｂ）で示すように、メス端子８２が有する端子保持部８２ｃの弾性力により保持されつつ、端子保持部８２ｃと電気的に接触した状態となる。
【００１９】
このように、従来のコネクタ端子の構造では、図７Ｂ（ｂ）に示すように、メス端子８２が備える端子保持部８２ｃによってオス端子７２のボディ部分が保持される（図中、黒点箇所）だけである。この固定構造では、オス端子７２がメス端子８２にしっかりと把持されておらず、端子同士のガタつきが発生する。よって、例えば、信号線８３の振動がメス型ハウジング８２に伝わった場合、メス型ハウジング８２だけが動くので、メス端子８２の端子保持部８２ｃによってオス端子７２のボディ部分が保持されている黒点箇所、つまり端子保持部８２ｃとボディ部分とが電気的に接触している接点が、メス端子８２の動きに合わせて変化する（図７Ｂ（ａ）〜（ｃ））。すなわち、接点摺動が発生する。この接点摺動は、オス端子７２（ボディ部分）およびメス端子８２（端子保持部８２ｃ）の磨耗を早めてしまうおそれがある。また、コネクタ端子が、大電流が流れる高電圧に利用される場合には、接点において高電圧スパークが発生するおそれもある。
【００２０】
次に、図３Ａを参照して本実施形態のコネクタ端子を説明する。
オス型ハウジング１（図１（ｃ））とメス型ハウジング２（図２（ｃ））とを嵌合させると（図３Ａ（ａ））、オス型ハウジング１が備えるオス端子１２のボディ部１２ａが、メス型ハウジング２が備えるメス端子２２のボディ部２２ａに挿入される。そして、オス端子１２の先端に設けられたテーパ部１２ｂが、同じ傾斜角を持つメス端子２２が備えるテーパ溝部２２ｂに当接する（図３Ａ（ｂ））。また、オス端子１２のボディ部１２ａは、図３Ａ（ｂ）で示すように、メス端子２２が有する端子保持部２２ｃの弾性力により保持されつつ、端子保持部２２ｃと電気的に接触した状態となる。
【００２１】
従って、本発明のコネクタ端子の構造では、図３Ｂ（ｂ）に示すように、メス端子２２が備える端子保持部２２ｃによってオス端子１２のボディ部１２ａが保持されることに加え（図中、黒点箇所）、メス端子２２が備えるテーパ溝部２２ｂによって同じ傾斜角を持つオス端子１２のテーパ部１２ｂが固定される（図中、楕円箇所）。この固定構造により、端子同士のガタつきもほとんどなく、オス端子１２がメス端子２２にしっかりと把持される。よって、例えば、信号線２３の振動がメス型ハウジング２に伝わったとしても、オス型ハウジング１とメス型ハウジング２とが同時に動くため、メス端子２２の端子保持部２２ｃによってオス端子１２のボディ部１２ａが保持されている黒点箇所、つまり端子保持部２２ｃとボディ部１２ａとが電気的に接触している接点は、ほぼ一定のまま変化しない（図３Ｂ（ａ）〜（ｃ））。すなわち、接点摺動が発生しないので、オス端子１２（ボディ部１２ａ）およびメス端子２２（端子保持部２２ｃ）の磨耗も少なくすみ、高電圧利用時の高電圧スパークの発生も抑制することができる。
【００２２】
３．その他のコネクタ端子の構造
本発明は、オス端子１２が有するテーパ部１２ｂおよびメス端子２２が有するテーパ溝部２２ｂの構造により、オス端子１２とメス端子２２との接点摺動を抑制するという有用な効果を奏する。この有用な効果を効率よく発揮させるためには、オス型ハウジング１とメス型ハウジング２との嵌合構造に、次のようなロック機構を設けることが好ましい。
【００２３】
図４は、本発明の一実施形態にかかるコネクタ端子を構成するオス端子１２を備えた他のオス型ハウジング４の概略構造を説明する図である。図４（ａ）は、オス型ハウジング４の正面図、図４（ｂ）は、オス型ハウジング４の右側面図、図４（ｃ）は、オス型ハウジング４のＣ−Ｃ断面図である。図４に示すように、オス型ハウジング４は、ハウジングケース４１にロック用のリブ４９が設けられている。
【００２４】
図５は、本発明の一実施形態にかかるコネクタ端子を構成するメス端子２２を備えた他のメス型ハウジング５の概略構造を説明する図である。図５（ａ）は、メス型ハウジング５の正面図、図５（ｂ）は、メス型ハウジング５の左側面図、図５（ｃ）は、メス型ハウジング５のＤ−Ｄ断面図である。図５に示すように、メス型ハウジング５は、ロック用の窪み５９を有するアウターハウジング５８がハウジングケース５１の外側にさらに形成されている。
【００２５】
図６Ａは、オス型ハウジング４（図４（ｃ））とメス型ハウジング５（図５（ｃ））とを嵌合させたときの断面図である。図６Ａに示すように、メス型ハウジング５に形成されたロック用窪み５９に、オス型ハウジング４に形成されたロック用リブ４９を嵌めることで、オス型ハウジング４とメス型ハウジング５とをロックすることができる。
また、図６Ａの構造に加えて、ハウジング抜け防止ピン６０を用いてオス型ハウジング４とメス型ハウジング５とを固定してもよい（図６Ｂ）。例えば、図６Ｂ（ｂ）に示すように、メス型ハウジング５のアウターハウジング５８にハウジング抜け防止ピン６０を挿入するためのガイド溝６１を設けて、オス型ハウジング４とメス型ハウジング５とをロックすることが考えられる。
【００２６】
以上のように、本発明の一実施形態にかかるコネクタ端子によれば、オス端子１２の先端に所定の傾斜角を持つテーパ部１２ｂを設け、オス端子１２の嵌合先であるメス端子２２にも所定の傾斜角を持つテーパ溝部２２ｂを設ける。
この構造により、オス型ハウジング１とメス型ハウジング２とを嵌合させるとテーパ部１２ｂとテーパ溝部２２ｂとが密着して、端子同士のガタつきもほとんどなく、オス端子１２がメス端子２２にしっかりと把持される。
よって、信号線２３の振動がメス型ハウジング２に伝わったとしても、オス端子１２とメス端子２２との間で接点摺動が生じてしまうことを防げる。
【００２７】
なお、本発明が提供する技術の一実施例として図面を用いた詳細な説明を行ったが、この図面および詳細な説明に記載された構成要素の中には、課題解決のために必須な構成要素だけでなく、本技術を例示するために課題解決のためには必須でない構成要素も含まれ得る。よって、図面や詳細な説明に記載されているからといって、全ての構成要素が発明に必須の構成要素であるわけではない。
さらに、上述した実施形態は、本発明における技術を例示するためのものであるから、特許請求の範囲またはその均等の範囲において、種々の変更、置き換え、付加、省略などを行うことができる。
【産業上の利用可能性】
【００２８】
本発明は、オス端子とメス端子とで構成されるコネクタ端子などに利用可能であり、特に端子同士のガタつきを極力小さくして接点摺動の発生を防止したい場合に有用である。
【符号の説明】
【００２９】
１、４、７  オス型ハウジング
２、５、８  メス型ハウジング
１１、２１、４１、５１、７１、８１  ハウジングケース
１２、７２  オス端子
１２ａ、２２ａ、８２ａ  ボディ部
１２ｂ  テーパ部
２２  メス端子
２２ｂ  テーパ溝部
２２ｃ、８２ｃ  端子保持部
２２ｄ、８２ｄ  接続部
２３、８３  信号線
４９  ロック用リブ
５８  アウターハウジング
５９  ロック用窪み
６０  ハウジング抜け防止ピン
６１  ガイド溝
【図１】
2014120237.tif 000003
【図２】
2014120237.tif 000004
【図３Ａ】
2014120237.tif 000005
【図３Ｂ】
2014120237.tif 000006
【図４】
2014120237.tif 000007
【図５】
2014120237.tif 000008
【図６Ａ】
2014120237.tif 000009
【図６Ｂ】
2014120237.tif 000010
【図７Ａ】
2014120237.tif 000011
【図７Ｂ】
2014120237.tif 000012